(57)【要約】【課題】特定の放射性物質を、人体に近く、比較的長時間利用する電気毛布、足暖器等の電気暖房器具に適用して、常時安定して空気のマイナスイオン化、微弱放射線の恩恵を受けることができるようにすること。【解決手段】電気加熱する発熱線２を備えた電気暖房器具で、前記発熱線２の少なくとも外被覆層１５が、絶縁用合成樹脂に微弱のガンマー線を放射するＺｒＯ２、ＳｉＯ２を主成分とするセラミックパウダーを混練して構成されている。【選択図】　　　図２
2004057754.tif 000002
【特許請求の範囲】
【請求項１】
電気加熱する発熱線２を備えた電気暖房器具であって、前記発熱線２の少なくとも外被覆層１５が、絶縁用合成樹脂に微弱のガンマー線を放射するＺｒＯ２、ＳｉＯ２を主成分とするセラミックパウダーを混練して構成されている電気暖房器具。
【請求項２】
前記セラミックパウダーは、放射能濃度を重量比に換算した際の個体状の核原料物質として、ウラン系列核種が、０．１６％以下、トリウム系核種が１．３％以下である請求項１の電気暖房器具。
【請求項３】
前記電気暖房器具が電気毛布であり、前記発熱線２は、毛布本体１に内包、逢着されている請求項１又は請求項２の電気暖房器具。
【請求項４】
前記電気毛布には、着脱自在のえりカバー８が設けられ、該えりカバー８のプリント用インクに、絶縁用合成樹脂に微弱のガンマー線を放射するＺｒＯ２、ＳｉＯ２を主成分とするセラミックパウダーを混練してある請求項３の電気暖房具。
【請求項５】
前記電気暖房器具が足暖器であり、前記発熱線２は、足を挿入する袋状部３９の底部３９Ａにのみ配線されている請求項１又は請求項２の電気暖房器具。
【請求項６】
前記発熱線２の内巻線１１が、折り返し点１１Ｃを設けて同心２層のコイル状１１Ａ、１１Ｂに構成され、夫々に逆方向の電流が流れて互いの磁場が相殺されるように構成されている請求項１乃至請求項５の電気暖房器具。
【発明の詳細な説明】
【０００１】
【産業上の利用分野】
本発明は、電気毛布、足暖器等の電気加熱によって暖房を図る電気暖房器具に関する。
【０００２】
【従来の技術】
最近、電気毛布、足暖器等の身体に近く、また、比較的長時間利用される電気製品について、磁気や電場による身体への悪影響を回避する等、温度制御による安全性のみならず、健康面に配慮した種々の提案がなされている。
こうした健康面の配慮として、近年注目を集めているのが、空気のマイナスイオン（空気成分の電離したもの）による人体への影響である。最近、各国の医学界のレポート等において、マイナスイオン（空気イオン数の正常範囲内の量として、１０２〜１０３個／ｃｍ３）のもたらす好結果が報告されており、我国においても、マイナスイオンを発生する機能を備えた各種の装置及び電気機器が提案されている。
【０００３】
空気のマイナスイオンの発生は、例えば、レナード効果（滝の電気）、コロナ放電（人工的な雷）、或いは天然鉱石を利用することで発生するとされており、現実の応用としては、後者の天然鉱石、例えば、トルマリン粉末等を利用したものが一般的であった。
【０００４】
【発明が解決しようとする課題】
上述したトルマリン等の天然鉱石は、所要の圧力、衝撃、温度といった条件下で電気を発生し、これによってマイナスイオンの発生をもたらすものであるから、上記電気毛布や足暖器等では、こうした諸条件を満たすことは難しく、応用し難いものであった。
【０００５】
しかし、一方、マイナスイオンの発生メカニズムの中に、微弱の自然放射線によって空気のマイナスイオン化を可能にすること、また、微弱の自然放射線そのものが人体に好ましい影響を与えるということが知られている。このような放射線を放出する天然鉱石によれば、トルマリンの如き条件が必要となるものではないので、安定した放射線の放射によるマイナスイオンの発生と放射線効果が期待できる。
【０００６】
そこで、自然放射線を放射する物質を電気毛布や足暖器に応用することを考えたが、どのような自然鉱石をどのように適用すればよいかについて、天然鉱石の発見、選定方法が難しいものであったが、種々のサンプルの放射線を測定するという消去法的手法によって特定物質（ブレンドを含む）を選定し、且つ、実用化として可能性のある適用方法について種々研究開発を行った。
【０００７】
本発明は、特定の放射性物質を、人体に近く、比較的長時間利用する電気毛布、足暖器等の電気暖房器具に適用して、常時安定して空気のマイナスイオン化、微弱放射線の恩恵を受けることができるようにすることを目的とする。
【０００８】
【課題を解決するための手段】
本発明にかかる電気暖房器具は、上記目的を達成するために、電気加熱する発熱線２を備えた電気暖房器具であって、前記発熱線２の少なくとも外被覆層１５が、絶縁用合成樹脂に微弱のガンマー線を放射するＺｒＯ２、ＳｉＯ２を主成分とするセラミックパウダーを混練して構成されている、という手段を講じたものである。
【０００９】
【発明の実施の態様】
本発明において、前記セラミックパウダーは、放射能濃度を重量比に換算した際の個体状の核原料物質として、ウラン系列核種が、０．１６％以下、トリウム系核種が１．３％以下であるのが好ましい。この数値は、本発明実施の物質の測定によるものであるが、放射性物質の取り扱いを定めた法により届出が義務付けられているウランで、その放射能濃度を重量比に換算した個体状の核原料物質に含まれる数値が、１．４％、トリウムで４．６％という数値以下であり、また、量的規制（ウランが３００ｇ、トリウムが９００ｇ）についても問題なく、容易に実施できるものである。
【００１０】
本発明において、前記電気暖房器具が電気毛布であり、前記発熱線２は、毛布本体１に内包、逢着されているのが好ましい。この電気毛布は、電気暖房器具の中でも、人体に接触し、且つ、睡眠という長時間の使用となるものであるので、マイナスイオン化、微弱放射線の効果を充分に享受できるものである。このように発熱線２へのセラミックパウダーの練り込みにより、毛布本体１の洗濯が可能であり、同時に通電加熱による熱エネルギーの付与によるセラミックパウダーの活性化が期待できる。
【００１１】
本発明において、前記電気毛布には、着脱自在のえりカバー８が設けられ、該えりカバー８のプリント用インクに、絶縁用合成樹脂に微弱のガンマー線を放射するＺｒＯ２、ＳｉＯ２を主成分とするセラミックパウダーを混練してあるのが好ましい。この種のえりカバーは、首部に近く位置するので、発生したマイナスイオンの効率良い吸引効果が期待でき、また、着脱により洗濯、或いは他のえりカバーとの取替えが可能である。また、前記インクについては、実施例では、えりカバー８の生地の裏面にプリントしているが、絵柄として表面にプリントとして意匠効果を得るようにしてもよい。
【００１２】
本発明において、前記電気暖房器具が足暖器であり、前記発熱線２は、足を挿入する袋状部３９の底部３９Ａにのみ配線されているのが好ましい。このような足暖器であれば、マイナスイオン及び微弱放射線による足部の浄化作用が期待できる。
【００１３】
本発明において、前記発熱線２の内巻線１１が、折り返し点１１Ｃを設けて同心２層のコイル状１１Ａ、１１Ｂに構成され、夫々に逆方向の電流が流れて互いの磁場が相殺されるように構成されているのが好ましい。こうした磁場相殺の発熱線によって、マイナスイオン、微弱放射線による効果のみならず、磁場、電場の悪影響を未然に回避し得る。
【００１４】
【実施例】
以下、本発明にかかる電気暖房器具の好適実施例について、図面を参照して詳述する。
図１は、電気毛布の全体を示し、１は、合成繊維からなる毛布生地表裏合わせで逢着されて構成された毛布本体で、この中に千鳥状に配線した発熱線２が逢着されている。３は、前記発熱線２に接続する本体プラグであり、４は、この本体プラグ３に接続するコネクターである。５は、温度調節の為のコントローラーであり、６は、差込プラグ、７は、両者５、６を接続するコードである。
【００１５】
また、８は、毛布本体１の首部に位置する箇所に設けたえりカバーであり、複数のホック９によって着脱自在とされている。
図２に示すのは、前記発熱線２の構造であり、この発熱線２は、繊維素材の芯糸１０の外周に、銅、ニッケルの合金などの金属線からなる内巻線１１を巻きつけ、この内巻線１１の外周に、チュ−ビングしたナイロン等の負の抵抗温度係数を有する感温層１２を設け、この感温層１２の外周に、ニッケル等の金属からなる検知線１３を巻きつけてあり、この外周に、塩化ビニル等の素材からなる中被覆層１４を設け、更に、この中被覆層１４の外側に、外被覆層１５を設けて構成してある。
【００１６】
この実施例では、前記外被覆層１５を、絶縁性の合成樹脂、ここでは塩化ビニルに、次の成分からなるセラミックパウダーを練り込んで構成している。このセラミックパウダーは、ＺｒＯ２が４５．０％（ｍａｓｓ％）、ＳｉＯ２が３９．０％、Ｃが２．７％、Ａｌ２Ｏ３が２．２％、ＣｅＯ２が２．０％、Ｐ２Ｏ５１．８％、ＨｆＯ２１．８が含まれ、その他、１％未満のものとしては、Ｌａ２Ｏ３，Ｎｄ２Ｏ３，ＴｉＯ２，ＳｎＯ２、ＴｈＯ２、Ｆｅ２Ｏ３、Ｙ２Ｏ３、ＳＯ３、ＣａＯ，Ｐｒ６Ｏ１１，Ｆｄ２Ｏ３，ＭｇＯ，ＭｎＯ、Ｋ２Ｏ、Ｎａ２Ｏ，Ｙｂ２Ｏ３，ＷＯ３，Ｕ３Ｏ８，Ｂｉ２Ｏ３，Ｃｌ．Ａｕ２Ｏ，ＳｅＯ２等が含まれている。
【００１７】
このセラミックパウダーについて、低放射能レベル遮蔽箱に設置したＧｅ（Ｌｉ）半導体検出器と４０９６チャネル波高分析器を用い、測定されたγ線スペクトルを解析して存在する放射能の周定及び定量を出した。概要は次の通りである。ウラン系列核種では、Ｒａ，Ｐｂ，及びＢｉから放射されるγ線が、トリウム系列核種では、ＡＣ，Ｐｂ，Ｂｉ，Ｔｌから放射されるγ線が測定された。
【００１８】
そして、その放射能濃度及び放射平衡を仮定したときの系列親核種Ｕの濃度を計算した結果、前記Ｒａは、０．１３±０．０１％、Ｐｂは、０．１５％±０．０１％、Ｂｉは、０．１６±０．０１％であった。また、Ｔｈについては、ＡＣが１．３±０．０３％、Ｐｂは、１．１±０．０９％、Ｂｉについては、１．１±０．０３％、Ｔｌは、１．２±０．０７％であった。
【００１９】
図３乃至図５に示すように、毛布本体１には、えりカバー８が設けられるが、２１は、表布であって、裏面にはプリント用のインク２２によって印刷塗布されている。このインク２２には、上述したセラミックパウダーが練り込まれてある。２３は、合成繊維、綿等で構成される中綿であり、表布２１の下側に重ねてある。この中綿２３の下には裏布２４が重ねられ、更に、前記表布２１、中綿２３、裏布２４を一体にして、縁布２５によって外周を逢着してある。
【００２０】
図６に示すように、前記えりカバー９を着脱自在に取り付けるホック９は、毛布本体１に取り付けられたと凸部材２６と、これに嵌合するように前記えりカバー８に取り付けられた凹部材２７とから構成されている。
図７は、電気回路を示し、２８は、サイリスターであり、前記発熱線２の内巻線と直列に接続されており、２９は、オペアンプであって、その＋側は、ダイオード３８、抵抗３２及び３３、ダイオード３６の直列回路の、抵抗３２及び３３の中点及び接続されている。
【００２１】
前記抵抗３１と感温層１２の並列回路は、前記抵抗３４とコンデンサー３５、ダイオード３６と直列接続される。前記オペアンプの一側は、前記抵抗３４とコンデンサー３５間に接続されている。前記オペアンプ２９の出力側は、ダイオード３７を介してサイリスター２８のゲートに接続される。また、前記オペアンプの＋側につながる回路と一側につながる回路は並列接続されている。
【００２２】
上記回路によって、発熱線２の温度が低いときは、オペアンプ２９の＋側の電圧と−側の電圧の差が大きく、サイリスター２８のゲートに信号が伝わり、発熱線２の内巻線１１が発熱して伝記毛布の温度を上昇させる。また、毛布の温度が上昇すると、発熱線２の感温層１２の抵抗値が下がり、抵抗３１と感温層１２の合成抵抗値が下がり、オペアンプ２９の−側の電圧が上昇するため、＋側と比較して差がなくなり、サイリスター２８のゲートに信号が行かなくなって、電気毛布の温度上昇を抑える。
【００２３】
図８及び図９は、上述した発熱線２を、電気暖房器具の他の例として、足暖器に適用した実施例を示すもので、図８は、一部切り欠き平面図で、図９は、その縦断側面図であって、本体４０と別の縫製のカバー部を本体４０に穂着することによって足を挿入できるように袋状部３９を構成し、この袋状部３９の底部３９Ａにのみ、前記発熱線２が千鳥状に配線されている。図中、４１は、前記発熱線２を区画する内部の区画壁であり、３は、本体プラグである。
【００２４】
図１０は、上記発熱線２の別の態様を示すもので、１６は、繊維素材からなる芯糸、１７は金属線からなる内巻線で、前記芯糸１６の外周に巻きつけられている。１８は、感温層であって、ナイロン等の負の抵抗温度係数を有する。１９は、ニッケル等の金属でなる検知線で、前記感温層１８の外周に巻き付けられており、２０は、外被の外周に被覆された外被覆層であって、塩化ビニル、ポリエチレンなどのチュービング材に、上述したセラミックパウダーが練り込まれている。
【００２５】
図１１は、更に別の態様の発熱線２を示し、前記発熱線２の内巻線１１が、折り返し点１１Ｃ（中間点）を設けて、同心２層のコイル状１１Ａ、１１Ｂに構成され、夫々に逆方向の電流が流れるようにすることにより、互いの磁場が相殺されるように構成されている。この発熱線２は、勿論、その外被覆層１５に、上述したセラミックパウダーが練り込まれている。図中、１９は、温度の検知線である。
【００２６】
上述した毛布本体１に逢着された発熱線２によるマイナスイオンの発生は、市販の測定器４２（ＥＣＯ　ＨＯＬＩＳＴＩＣＩＮＣ　モデル　ＥＢ−１２Ａ：商標名）を用いて行った。試験片は、上記成分のセラミックパウダーを練り込んだ発熱線２であって、その１４ｍの内、任意の１０箇所に対して、前記セラミックパウダーから放射された微弱のγ線を検知して、１ＣＣ当たりのマイナスイオン数に置き換えて表示するものである。
【００２７】
測定条件は、次の２通りである。
Ａ．発熱線を冷蔵庫の冷凍室に１時間入れ、取り出してすぐに室温（約２０℃）の部屋で、前記発熱線に通電しない状態で測定した。
Ｂ．発熱線を、室温（約２０℃）の部屋で約１０分間通電した後、更に通電状態で測定した。
そして、前記条件Ａについては、１０箇所で、１２５８、１２７２、１４２６、１３２１、１２６５、１１８８、１１４６、１３７０、１２９３、１１７４個が検出され、その最大値と最小値を削除した平均値は、１２６５であり、前記条件Ｂにおいては、夫々、１４８２、１３３５、１３４９、１２０９、１２３０、１２０９、１２７９、１３２１、１２２３、１２２３であり、同様にその平均値は、１２７１であった。
【００２８】
【発明の効果】
本発明にかかる電気暖房器具、特に電気毛布や足暖器によれば、発熱線に微弱放射線を放射する特異成分のセラミックパウダーを練り込むことで、従来のトルマリンの如き天然構成と異なり、特異条件を必要とすることなく、自然の放射線の放射と、発熱線の加熱による熱エネルギーの付与によって、マイナスイオンを安定して発生させると同時に微弱放射線の放射が得られることによって、健康状態の改善を図ることが出来るという優れた効果を奏することが出来る。
また、本発明のその他の具体的構成による独特の効果は、上記発明の実施の態様の項及び実施例の説明の項において詳述した通りである。
【図面の簡単な説明】
【図１】本発明にかかる電気暖房器具の一実施例を示す電気毛布の全体の概略平面図である。
【図２】本発明にかかる電気暖房器具の一実施例を示す発熱線の構造を示す一部切り欠き側面図である。
【図３】本発明にかかる電気暖房器具の一実施例を示す電気毛布の一部切り欠き平面図ある。
【図４】本発明にかかる電気暖房器具の一実施例を示す電気毛布の縦断側面図ある。
【図５】本発明にかかる電気暖房器具の一実施例を示す電気毛布のえりカバーの平面図ある。
【図６】本発明にかかる電気暖房器具の一実施例を示す電気毛布のえりカバーを着脱するホック縦断側面図ある。
【図７】本発明にかかる電気暖房器具の一実施例を示す電気毛布のための制御回路図ある。
【図８】本発明にかかる電気暖房器具の他の態様例を示す足暖器の一部切り欠き平面図である。
【図９】本発明にかかる電気暖房器具の他の態様例を示す足暖器の縦断側面である。
【図１０】本発明にかかる電気暖房器具の他の態様例を示す発熱線の一部切り欠き側面図である。
【図１１】本発明にかかる電気暖房器具のさらに別の態様例を示す発熱線の一部切り欠き側面図である。
【符号の説明】
１　毛布本体
２　発熱線
８　えりカバー
１１　内巻線
１１Ａ　コイル状
１１Ｂ　コイル状
１１Ｃ　折り返し点
１５　外被覆層
３９　袋状部
３９Ａ　底部
【図１】
2004057754.tif 000003
【図２】
2004057754.tif 000004
【図３】
2004057754.tif 000005
【図４】
2004057754.tif 000006
【図５】
2004057754.tif 000007
【図６】
2004057754.tif 000008
【図７】
2004057754.tif 000009
【図８】
2004057754.tif 000010
【図９】
2004057754.tif 000011
【図１０】
2004057754.tif 000012
【図１１】
2004057754.tif 000013